(57)【要約】【課題】  嵩張る衣類などはスーツケースの収納容量を超えることが多く、それを無理に詰め込むのは旅慣れしている者にとっても難しいので、より多くの衣類を苦労することなくパック出来るようにしたい。【解決手段】  ファスナー付きの２つの合成樹脂製袋体（１０）（１２）を、スーツケースの縁を乗り越えるための接続部（１４）を以て隣り合わせに一体とした。またファスナー付きの合成樹脂製袋体（２０）に、スーツケースに納まる大きさの間仕切り（２２）を設けた。またスーツケース（５）の内部に気密性を有する、ファスナー（５４）付きの合成樹脂製袋体（５３）を備えた。【選択図】図１
2017088244.tif 000002
【特許請求の範囲】
【請求項１】
各々独立していると共に気密性を有する２つの合成樹脂製袋体が、スーツケースの縁を乗り越えるための接続部を以て隣り合わせに一体であり、各々の合成樹脂製袋体の開口部に前記袋体を密封するためのファスナーが設けられている、スーツケース用の衣類圧縮収納袋。
【請求項２】
前記ファスナーが、ファスナーの閉じ端部の気密性を確保したスライダーを有する、請求項１に記載のスーツケース用の衣類圧縮収納袋。
【請求項３】
少なくとも１つの前記合成樹脂製袋体の片面側または両面側に、スーツケースに納まる間仕切りを備えている、請求項１に記載のスーツケース用の衣類圧縮収納袋。
【請求項４】
気密性を有する合成樹脂製袋体の開口部に前記袋体を密封するためのファスナーが設けられていると共に、前記合成樹脂製袋体の片面側または両面側にスーツケースに納まる間仕切りを備えている、スーツケース用の衣類圧縮収納袋。
【請求項５】
前記ファスナーが、ファスナーの閉じ端部の気密性を確保したスライダーを有する、請求項４に記載のスーツケース用の衣類圧縮収納袋。
【請求項６】
前記合成樹脂製袋体に抜気口が設けられており、前記抜気口に接続する抜気用のポンプを備えている、請求項１または請求項４に記載のスーツケース用の衣類圧縮収納袋。
【請求項７】
スーツケースがその内部に気密性を有する合成樹脂製袋体を備えており、前記袋体には前記袋体を密封するためのファスナーが設けられている、衣類圧縮収納袋を有するスーツケース。
【請求項８】
前記ファスナーが、ファスナーの閉じ端部の気密性を確保したスライダーを有する、請求項７に記載の衣類圧縮収納袋を有するスーツケース。
【請求項９】
前記合成樹脂製袋体がスーツケースに納まる間仕切りを備えている、請求項７に記載の衣類圧縮収納袋を有するスーツケース。
【請求項１０】
前記合成樹脂製袋体に抜気口が設けられており、前記抜気口に接続する抜気用のポンプを備えている、請求項７に記載の衣類圧縮収納袋を有するスーツケース。
【発明の詳細な説明】
【技術分野】
【０００１】  この発明は、圧縮することによって、より多くの衣類をスーツケース（旅行バッグ）に納めることが出来る、スーツケース用の衣類圧縮収納袋や衣類圧縮収納袋を備えたスーツケースに関する。なおこの発明のスーツケースにはリュックサックのような背負うタイプのバッグなどの各種タイプのケースバッグ類が含まれる。
【背景技術】
【０００２】  いかに多くの衣類を上手くスーツケースに詰め込むことが出来るかは、旅人の腕の見せ所である。従来のスーツケースには、ポケットやメッシュ等の間仕切りなどが設けられており、荷物を整理してパックすることを可能にしている。【０００３】
【発明の概要】
【発明が解決しようとする課題】
【０００４】  しかしながら特に嵩張る衣類などはスーツケースの収納容量を超えることが多く、それを無理に詰め込むのは旅慣れしている者にとっても至難の業であった。なお着替えて洗濯物となった衣類の嵩が自然と大きくなると言う問題もある。この発明では上述したような問題を解決して、より多くの衣類を苦労することなくパック出来るようにすることを課題とする。
【課題を解決するための手段】
【０００５】  当発明者は、（１）スーツケースに用いる衣類圧縮収納袋を提供したり、（２）スーツケースに用いる衣類圧縮収納袋であって、さらに衣類の圧縮収納以外の便利な機能を有するものを提供したり、（３）衣類圧縮収納袋を備えたスーツケースそのものを提供したりすれば良いと考えた。なおスーツケースとしてはリュックサックのような背負うタイプのバッグなどを含むようにして、ユーザーの選択の幅を広げるようにする。【０００６】  すなわち上記課題を、（１）に関して、各々独立していると共に気密性を有する２つの合成樹脂製袋体が、スーツケースの縁を乗り越えるための接続部を以て隣り合わせに一体であり、各々の合成樹脂製袋体の開口部に前記袋体を密封するためのファスナーが設けられている、スーツケース用の衣類圧縮収納袋を提供することで解決する。スーツケースを開くと左右の半分ずつの容量のケースとケース間の壁とが現われるが、あるいはほぼ全量分のケースとこのケースの蓋とケースの高さ相当の壁とが現われるが、上記接続部はこの壁の高さを避けて左右の合成樹脂製袋体を左右のケース内に別々に納めることを可能にする。合成樹脂製袋体の形態には平袋やスタンド袋があり、その素材はポリエチレン、ナイロン・ポリプロピレンなどであったり、所要のフィルムを張り合わせた複合素材であったりする。ファスナーは、一方のストリップには溝が他方のストリップにはリブが形成されており、ファスナーを閉じると前記リブの一部分が前記溝に受け入れられて保持されて、前記袋体を密封状態にする。なお特開２００５−２２５５１６の「ファスナー付き包装材料および包装体」などが参考になる。またファスナーは１列に成るのものが一般的であるが、気密保持性をより高めるべく２列に並設したものとしても良い。また同様に袋体そのものを２重にする設計もある。【０００７】  そこで各々の合成樹脂製袋体をその開口部のファスナーから開口して、袋体の中に衣類を詰め、袋体に外から圧力を掛けて袋体内の空気を抜き、開口部のファスナーを閉じるようにすれば、衣類を圧縮してその嵩を小さくすることが出来る。この後は袋体のケースからはみ出た部分をケース内に納めるようにすれば良い。或いはケースに袋体を納めてから衣類を詰め、袋体内の空気を抜いて開口部のファスナーを閉じるようにしても良い。この発明の衣類圧縮収納袋によれば、開いたスーツケースの左右のケース内に別々に納めて同時に使用することが出来るようになる。そして左右の各々のケース内に於いて衣類が圧縮された分の空き容量が得られるので、より多くの衣類を苦労することなくパックすることが可能になる。またこの発明によれば衣類をどんどん圧縮し得るわけであるが、衣類以外の、例えばドライヤーなどを衣類に紛れ込ませて圧縮したとしても何ら問題はない。【０００８】  なお上記では接続部の両側に２つの合成樹脂製袋体がある構成としたが、更に別の合成樹脂製袋体を接続部に追加して設けるようにすることが出来る。また上記では合成樹脂製袋体内の空気を抜くのに袋体に外から圧力を掛けるようにしているが、合成樹脂製袋体に密封可能な抜気口を取り付けたものとしても良い。この抜気口には手動の抜気ポンプや、電動モータを備えた抜気ポンプを接続���るようにする。なお電動モータの好適な電源としてＵＳＢ（商標である）モバイルバッテリーを上げる。そして合成樹脂製袋体をその開口部のファスナーから開口して、袋体の中に衣類を詰めたら、開口部のファスナーを閉じてから上記抜気口から抜気ポンプなどを用いて抜気を行い抜気口の栓を閉じるようにする。袋体に外から圧力を掛ける必要なくなるのでより楽に衣類を圧縮することが可能である。なお２つの合成樹脂製袋体に通気部分を設けておけば、前記袋体の何れの一側にだけ抜気口を取り付けておくだけで、２つの前記袋体を前記抜気口から一気に抜気することが可能になる。【０００９】  次に前記ファスナーが、ファスナーの閉じ端部の気密性を確保したスライダー（駒）を有するものとすることが出来る。スライダーの素材には摺動に好適なポリアセタールなどが用いられるが、ここを摘まんでスライドさせることにより、リブと溝とのかみ合わせに特段の注意を払うことなく容易にリブを溝に受け入れさせることが出来る。【００１０】  次に少なくとも１つの前記合成樹脂製袋体がその片面側または両面側に、スーツケースに納まる間仕切りを備えているものとすることが出来る。この構成によれば、合成樹脂製袋体に衣類を詰めて抜気すると、衣類は間仕切りの背後で圧縮された状態で固まる。合成樹脂製袋体がスーツケースに納められている状態で、この合成樹脂製袋体の片面側または両面側に設けられた間仕切りがこのスーツケース内で間仕切りとしての役目を担うことが出来る。間仕切りはスーツケース内で仕切りの壁として用いられ、衣類の袋体内での偏り具合によって現われる圧縮衣類の凹凸もこの間仕切りの側には見られず平かである。【００１１】  また上記課題を、（２）に関して、気密性を有する合成樹脂製袋体の開口部に前記袋体を密封するためのファスナーが設けられていると共に、前記合成樹脂製袋体の片面側または両面側にスーツケースに納まる間仕切りを備えている、スーツケース用の衣類圧縮収納袋を提供することで解決する。この請求項４の発明の合成樹脂製袋体は上述した請求項１の発明とは異なって、単独の袋体としてスーツケースに納めるものである。またこの袋体には後述する便利な機能が備わった間仕切りを有している。【００１２】  気密性を有する合成樹脂製袋体の素材や形状や機能に付いては上述した通りであるが、開口部のファスナーから開口した合成樹脂製袋体の中に衣類を詰め、袋体に外から圧力を掛けて袋体内の空気を抜き、開口部のファスナーを閉じるようにすれば、衣類を圧縮してその嵩を小さくすることが可能である。袋体をスーツケース内に納める際に、袋体の一部がスーツケースからはみ出す場合には、そのはみ出た部分をスーツケース内に納めるようにすれば良い。こうしてスーツケース内に納められた袋体には間仕切りが備わっているため、間仕切りによってこのスーツケース内に他のものを納めるためのスペースをきちんと確保することが可能になっている。間仕切りはスーツケース内で仕切りの壁として用いられ、衣類の袋体内での偏り具合によって現われる圧縮衣類の凹凸もこの間仕切りの側では生ぜず平かである。この発明によれば、衣類が圧縮された分の空き容量が得られるので、より多くの衣類を苦労することなく��ックすることが可能になる。またこの発明によれば衣類をどんどん圧縮し得るわけであるが、衣類以外の例えばドライヤーなどを衣類に紛れ込ませて圧縮したとしても何ら問題はない。【００１３】  上記袋体に付いて、更に密封可能な抜気口を取り付けたものとしても良い。この袋体をその開口部のファスナーから開口して、袋体の中に衣類を詰めたら、開口部のファスナーを閉じてから上記抜気口から抜気ポンプなどを用いて抜気を行い抜気口の栓を閉じるようにする。袋体に外から圧力を掛ける必要なくなるのでより楽に衣類を圧縮することが可能である。また上記袋体に付いて、袋体の両面側に上記間仕切りを備える場合、間仕切りと間仕切りとの間に袋体の周囲を覆うアコーディオン式壁面を備えるようにすれば、スーツケース内に納めた時の見栄えが良くなる。【００１４】  次に上記ファスナーに付いて、ファスナーの閉じ端部の気密性を確保したスライダー（駒）を有するものとすることが可能である。スライダーの素材にはポリアセタールなどが用いられるが、ここを摘まんでスライドさせることにより、リブと溝とのかみ合わせに特段の注意を払うことなく容易にリブを溝に受け入れさせることが出来る。【００１５】  なお請求項１乃至請求項４の発明に関して、前記合成樹脂製袋体に抜気口が設けられており、前記抜気口に接続する抜気用のポンプを備えているものとすることが出来る。この抜気用のポンプには手動のものや電動モータを備えたものなどがある。電動モータの場合の好適な電源としてＵＳＢ（商標である）接続方式のモバイルバッテリーを上げる。なお抜気用のポンプとして髪形を整えるためのヘアードライヤーを利用する、特開２００６−３１１９９３の「衣類圧縮パック対応ヘヤードライヤー」の発明がある。【００１６】  さて上記課題を、（３）に関して、スーツケースがその内部に気密性を有する合成樹脂製袋体を備えており、前記袋体には前記袋体を密封するためのファスナーが設けられている、衣類圧縮収納袋を有するスーツケースを提供することにより解決する。この請求項７はスーツケースの発明であって、スーツケースがその中に合成樹脂製袋体を備えている点に特徴がある。この合成樹脂製袋体は気密性を有し、その開口部に袋体を密封するためのファスナーが設けられている。気密性を有する合成樹脂製袋体の素材や形状や機能に付いては上述した通りである。スーツケースを開くと合成樹脂製袋体が納められているので、開口部のファスナーから開口して中に衣類を詰め、この袋体に外から圧力を掛けて袋体内の空気を抜き、開口部のファスナーを閉じるようにすれば、衣類を圧縮してその嵩を小さくすることが出来る。すなわちこのスーツケースさえあれば、別途衣類圧縮収納袋を用意する必要もなく、スーツケース内で衣類を圧縮して、より多くの衣類を苦労することなくパック出来ることになる。【００１７】  合成樹脂製袋体の形態には平袋やスタンド袋や方形の袋があり、その素材としてはポリエチレン、ナイロン・ポリプロピレンなどを上げる。また所要のフィルムを張り合わせた複合素材を用いても良い。ファスナーには、一方のストリップに溝が他方のストリップにリブが形成されており、ファスナーを閉じると前記リブの一部分が前記溝に受け���れられて保持されて、前記袋体を密封状態にする。また上記では合成樹脂製袋体内の空気を抜くのに袋体に外から圧力を掛けるようにしているが、合成樹脂製袋体に密封可能な抜気口を取り付けたものとしても良い。この抜気口には手動の抜気ポンプや、電動モータを備えた抜気ポンプを接続するようにする。なお電動モータの好適な電源としてＵＳＢ（商標である）モバイルバッテリーを上げる。そして合成樹脂製袋体をその開口部のファスナーから開口して、袋体の中に衣類を詰めたら、開口部のファスナーを閉じてから上記抜気口から抜気ポンプなどを用いて抜気を行い抜気口の栓を閉じるようにする。袋体に外から圧力を掛ける必要なくなるのでより楽に衣類を圧縮することが可能である。【００１８】  次に上記ファスナーが、ファスナーの閉じ端部の気密性を確保したスライダー（駒）を有するものとすることが出来る。スライダーの素材にはポリアセタールなどが用いられるが、ここを摘まんでスライドさせることにより、リブと溝とのかみ合わせに特段の注意を払うことなく容易にリブを溝に受け入れさせることが出来る。【００１９】  次に上記合成樹脂製袋体がスーツケースに納まる間仕切りを備えているものとすることが出来る。この構成によれば合成樹脂製袋体に衣類を詰めて抜気すると、衣類は間仕切りの背後で圧縮された状態で固まる。合成樹脂製袋体がスーツケースに納められている状態で、この合成樹脂製袋体に設けられた間仕切りがこのスーツケース内で間仕切りとしての役目を担うことが出来る。間仕切りはスーツケース内で仕切りの壁として用いられ、衣類の袋体内での偏り具合によって現われる圧縮衣類の凹凸もこの間仕切りの側には見られず平かである。なお袋体の両面側に間仕切りを備えるようにして、間仕切りと間仕切りとの間に袋体の周囲を覆うアコーディオン式の壁面を備えるようにすれば、スーツケース内に納めた時の見栄えが良くなる。【００２０】  次にスーツケースの前記合成樹脂製袋体に抜気口が設けられており、前記抜気口に接続する抜気用のポンプを備えているものとすることが出来る。この抜気用のポンプには手動のものや、電動モータを備えたものなどがある。電動モータの場合の好適な電源として、ＵＳＢ（商標である）接続方式のモバイルバッテリーを上げる。
【発明の効果】
【００２１】  この発明では、（１）密封用のファスナーが付いた、左右のスーツケースに別々に納める、連続した２つの袋体から成る衣類圧縮収納袋としたり、（２）密封用のファスナーが付いた収納袋に間仕切りを設けて成る、スーツケースに用いる衣類圧縮収納袋としたり、（３）衣類圧縮収納袋を備えたスーツケースそのものを提供したりすれば良いと考えた。この結果、（１）衣類圧縮収納袋を開いたスーツケースの左右のケース内に別々に納めて同時に使用することが出来るようになり、左右の各々のケース内に於いて衣類が圧縮された分の空き容量が得られ、より多くの衣類を苦労することなくパックすることが出来ると言う効果を奏する。また（２）圧縮されてスーツケース内に納められた衣類圧縮収納袋には間仕切りが備わっているため、平かなる間仕切りはスーツケース内で仕切りの壁として用いられ、仕切りの壁によってスーツケース内に他のものを納めるためのスペースをきちんと確保することが出来る効果がある。また（３）スーツケース自体が衣類圧縮収納袋を備えていることによって、別途衣類圧縮収納袋を用意する必要がなくなり、スーツケース内で衣類を圧縮してその嵩を小さくすることが出来る。
【図面の簡単な説明】
【００２２】
【図１】  実施例１を平面視した説明図である。
【図２】  実施例１の使用状態を表す説明図である。
【図３】  実施例２を平面視した説明図である。
【図４】  実施例３を使用状態で表す説明図である。
【図５】  実施例３を平面視した説明図である。
【図６】  実施例４を平面視した説明図である。
【図７】  実施例５の説明図である。
【図８】  実施例６の説明図である。
【図９】  実施例６の電気回路の説明図である。
【図１０】  実施例７の説明図である。
【図１１】  実施例８の説明図である。
【図１２】  実施例９の説明図である。
【発明を実施するための形態】
【実施例１】
【００２３】  図１及び図２でこの実施例を表すが、これはスーツケースＳに用いる袋体の例である。衣類圧縮収納袋１は、各々ポリエチレン製の平袋である袋体１０と袋体１２とが、同素材のシートによる接続部１４にて接続されたものとして成形したものである。また袋体１０の上記接続部１４とは反対側の開口部にファスナー１１が、袋体１２の上記接続部１４とは反対側の開口部にファスナー１３が設けられている。図１で鎖線で表したものは、衣類Ｃを袋体１０や袋体１２に入れる際のボリュームの目安である。【００２４】  この衣類圧縮収納袋１の使用法であるが、袋体１０と袋体１２とに衣類Ｃを詰め込んでからスーツケースＳの中に納める方法もあるが、ここで取り上げるのは以下に述べる方法である。すなわち先ずスーツケースＳを開き、この開いた口に衣類圧縮収納袋１を合わせるようにして置いてから、ファスナー１１、１３を開放した袋体１０、１２の口から衣類Ｃを詰めるようにすれば、自然に衣類ＣはスーツケースＳの範囲内に収まるようになる。スーツケースＳを開くと、左右の半分ずつの容量のケースとケース間の壁ｓ（縁である）とが現われるが、スーツケースＳの境の壁ｓは、接続部１４がこれを上手くかわすことが出来る。接続部１４の幅はそのような計算の上で決められたものである。このようにして袋体１０、１２の中に衣類Ｃを詰め込んだならば、袋体１０、１２に体重を掛けて衣類Ｃを圧縮しつつ袋体１０、１２の中の空気を抜き、ファスナー１１、１３を空気の漏れがないようしっかりと止める。なお袋体１０、１２に体重を掛ける際には、袋の上に雑誌などの腰があるものを置きこれに体重を掛けるようにすると、抜気の作業が上手く行く。【００２５】  なお抜気に掃除機を用いるようにすることが出来る。ファスナー１１、１３を掃除機のホースを通すだけの隙間を残して止め、ここにホースを通して抜気し終えたら、この隙間を閉じるようにするのである。或いは専用の抜気装置を用意するのも良い。
【実施例２】
【００２６】  図３でこの実施例を表すが、これはスーツケースＳに用いる袋体の例である。衣類圧縮収納袋１５は、袋体１６と袋体１９とが、同素材のシートによる接続部１０２にて接続されて成るが、袋体１６の上記接続部１０２側の開口部にファスナー１７が、また袋体１９の上記接続部１０２側の開口部にファスナー１００が設けられており、袋体１６、１９は各々の背面を覆う上記接続部１０２にファスナー１７、１００の側を除く周縁部で熔着されているため、ファスナー１７、１００の裏側を開口部とするポケットが袋体１６、１９の裏面側と接続部１０２となるシートとの間に形成されている。図３で鎖線で表したものは、衣類を袋体１６や袋体１９に入れる際のボリュームの目安である。なお図中符号８１はファスナー１７のスライダーを指し、また符号１０１はファスナー１００のスライダーを指している。【００２７】  この衣類圧縮収納袋１５の使用法は上述した実施例１に倣うが、袋体１６、１９の中の空気を抜いてファスナー１７、１００を空気の漏れがないようしっかりと止める際には、スライダー８１、１０１を用いるようにする点で異なる。スライダー８１、１０１によればファスナー１７、１００を止める作業が実に容易となるため、ファスナー１７、１００を止める際に空気漏れのことの方により多くの注意を払うことが出来るようになる。
【実施例３】
【００２８】  図４及び図５でこの実施例を表すが、これはスーツケースＳに用いる袋体の例である。衣類圧縮収納袋１０３は、その殆どの構成を上述した実施例１の衣類圧縮収納袋１に倣うが、袋体１０４の片面側に間仕切り１０６が、また袋体１０８の片面側に間仕切り１１０が設けられている点で異なると共に、袋体１０４に排気口１０７が、また袋体１０８には排気口１１１が設けられている点で異なる。【００２９】  衣類圧縮収納袋１０３は、袋体１０４と袋体１０８とが、シート状の接続部１１２にて接続されて成る。この袋体１０４の上記接続部１１２とは反対側の開口部にはファスナー１０５が、袋体１０８の上記接続部１１２とは反対側の開口部にはファスナー１０９が、設けられている。またこの袋体１０４の側縁部に抜気用の栓付きの排気口１０７が、また袋体１０８の側縁部に同じく抜気用の栓付きの排気口１１１が設けられている。更に袋体１０４と袋体１０８の各々が片面側で同面側に、袋体１０４には間仕切り１０６を、また袋体１０８には間仕切り１１０を備えている。これ等の間仕切り１０６、１１０はスーツケースＳに納まる大きさであり、ポリプロピレン製の薄くて表面が滑らかで腰がある板状のものである。なお間仕切り１０６、１１０は袋体１０４、１０８の両面側に設けるようにしても良い。或いはコストやどの程度の圧縮が必要かの考え方によっては、一方の袋体だけに間仕切りを設ける場合もある。なお間仕切りには何を用いても良く、上述したポリプロピレン製のもの以外にも、例えば木板や圧縮加工紙や、特殊なものとしてダンボール構造の合成樹脂板などを任意に選択し得る。なお好適な圧縮加工紙の一例としてパスコ（登録商標）紙を上げる。パスコ紙は古紙やフレッシュパルプなどの木材繊維を原料とするも、成形性が良好であり、電気絶縁特性に優れ、一般のペーパーボードよりも丈夫であると言う特長を有する。またバルカナイズドファイバーのペーパーボードを利用することなども好ましい。この発明の他の形態に於ける間仕切りに付いても同様である。【００３０】  この使用法であるが、スーツケースＳを開き、この開いた口に衣類圧縮収納袋１０３を位置合わせをしつつ間仕切り１０６、１１０側が上になるようにして置いて、ファスナー１０５、１０９を開放した袋体１０４、１０８の口から衣類Ｃを詰めれば、自然に衣類ＣはスーツケースＳの範囲内に収まるようになる。スーツケースＳを開くと、左右の半分ずつの容量のケースとケース間の壁ｓとが現われるが、スーツケースＳの境の壁ｓは接続部１１２が上手くかわすことが出来る。接続部１１２の幅はそのように計算して決められたものである。袋体１０４、１０８の中に衣類Ｃを詰めたならば、間仕切り１０６、１１０に体重を掛けて衣類Ｃを圧縮しつつ、袋体１０４、１０８の中の空気を抜き、ファスナー１０５、１０９を空気の漏れがないようしっかりと止める。間仕切り１０６、１１０があることによって抜気の作業が上手く行く。なお間仕切り１０６、１１０に体重を掛けることで袋体１０４、１０８の中の空気を抜くのではなくて、付属する排気口１０７や排気口１１１を開き、ここに後述するような手動式の或いは電動式の抜気用のポンプを繋いで、袋体１０４、１０８から空気を抜くことが出来る。これによれば体重を掛けて空気を抜くよりも、楽に且つより能率的に抜気して衣類Ｃを圧縮することが可能になる。なお抜気後は排気口１０７、１１１にしっかりと栓をしておく。
【実施例４】
【００３１】  図６でこの実施例を表すが、これはスーツケースに用いる袋体の例である。衣類圧縮収納袋２は、ポリエチレン製の平袋である袋体２０の開口部にファスナー２１が設けられており、この袋体２０の片面側にスーツケースＳに納まる大きさで板状のポリプロピレン製の間仕切り２２を備えている。この間仕切り２２は薄くて表面が滑らかで腰があるものとしている。なお間仕切り２２は袋体２０の外側に設けられているが、間仕切り２２を袋体２０の内側に設けることも可能である。また間仕切り２２を袋体２０の両面側に設けるようにしても良い。これ等の設計変更は、この発明の他の形態に於ける間仕切りに付いても同様に行い得る。【００３２】  スーツケースを開いて袋体２０を、間仕切り２２の側が上になるようにしてセットし、ファスナー２１の口を開放して衣類圧縮収納袋２の中に衣類を詰め、間仕切り２２に体重を掛けて衣類を圧縮しつつ、袋体２０の中の空気を抜いてファスナー２１を空気の漏れがないようしっかりと止めるようにする。これにより衣類の嵩を少なく薄くすることが出来ると共に、この実施例の衣類圧縮収納袋２そのものを間仕切り２２として活用することが出来るのである。なお間仕切り２２は、他の実施例でも同じであるが、袋体２０が空であったとしてもスーツケースの中で間仕切りとしての役目を果たし得る。
【実施例５】
【００３３】  図７でこの実施例を表すが、これはスーツケースに用いる袋体の例である。衣類圧縮収納袋２３はポリエチレン製の角丸方形の袋体２４から成り、その上面にファスナー２５が取り付けられて開閉自在であり且つ閉じた時には袋体２４が密閉されるように構成されている。またこのファスナー２５には空気漏れがないように構成してスライダー２６が取り付けられており、更にスライダー２６の開閉が操作しやすくなるように、スライダー２６にリング２７が設けられている。また袋体２４の一部には抜気口２８が取り付けられている。また袋体２４の底部には間仕切り２９が設けられている。【００３４】  この発明の袋体の形態はどのようなものを用いようとも自由であることを説明したが、この実施例の袋体２４が上述の実施例と異なる点は平袋ではなく、また上述したスタンド袋でもなく、角丸方形の立体容器の形態である点である。従って衣類の出し入れが平袋よりは楽であるものの、抜気によって平袋同様に潰れる点は同じである。また潰れた状態では間仕切り２９がスーツケースの中にあって間仕切りとして役立つことになる。なお抜気口２８には、図８に示すような（Ａ）手動式のポンプや（Ｂ）電動モータを備えた電動式のポンプなどが接続される。
【実施例６】
【００３５】  そこでこの実施例では、上述した実施例１〜５の衣類圧縮収納袋や後述する実施例７〜９の衣類圧縮収納袋と、これ等と組み合わせるのに好適な抜気用のポンプと、の組について、図８及び図９を用いて説明する。【００３６】  図８（Ａ）は手動式のポンプ３を表し、蛇腹部３０と、これに接続された各々図示せぬ逆止弁を有する接続口３１、排気口３２が設けられている。例えば図７の衣類圧縮収納袋２３の抜気口２８とポンプ３の接続口３１とをパイプで接続してから、蛇腹部３０を押したり放したりを繰り返すことで、袋体２４内の空気が接続口３１から蛇腹部３０に吸われて排気口３２から排気される。【００３７】  図８（Ｂ）は電動式のポンプ３３を表し、図示しない吸引ファンが付いた電動モータとこの電源電池とを内蔵するモータケース３７の外側に、電動モータをＯＮ／ＯＦＦさせるための電源スイッチ３５が設けられており、モータケース３７内部に通ずる接続口３６と排気口３４とが設けられている。例えば図７の衣類圧縮収納袋２３の抜気口２８とポンプ３３の接続口３６とをパイプで接続してから、電源スイッチ３５をＯＮにして電動モータを回転させることで、袋体２４内の空気が接続口３６からモータケース３７内部に吸われて排気口３４から排気される。【００３８】  また図９は、上記電動式のポンプ３３とは別の電動式の抜気ポンプ４の回路構成を表したものであるが、制御部４０に電源アダプタ４１、二次電池４２、電動モータ４３が電気的に接続されている。電源アダプタ４１には図示しないＵＳＢ（商標である）端子が設けられ、このＵＳＢ端子を用いて例えば可搬型パーソナルコンピュータのＵＳＢ端子に接続して、電力の供給を受けることが出来る。また家庭用電源からも電力の供給を受けることが出来る。この制御部４０は次のような制御を行う。すなわち電源アダプタ４１から電力が供給されると、二次電池４２に充電を開始し、満充電で自動的に充電をストップする。電動モータ４３のスイッチがＯＮ状態になれば、この電動モータ４３に電力を供給する。なお電源アダプタ４１が電源に接続されていない状態では、二次電池４２から電動モータ４３に電力を供給するような制御を行う。
【実施例７】
【００３９】  さて、図１０でこの実施例を表すが、このものは衣類圧縮収納袋５３を内蔵するスーツケース５に関する。このスーツケース５は開くと中央から左右の筐体５０、５２に割れるようになっている。右手の筐体５０は空なので底部５１が見られるが、左手の筐体５２には衣類圧縮収納袋５３が納められている状態が見て取れる。この衣類圧縮収納袋５３は、図７で表した実施例５のポリエチレン製の角丸方形の袋体２４と同タイプのものであり、その上面にファスナー５４が取り付けられて開閉自在であり、且つ閉じた時には袋体５３が密閉されるように構成されている。またこのファスナー５４には空気漏れがないようにしたスライダー５５が取り付けられており、更にスライダー５５の開閉操作が行いやすいように、スライダー５５にリング５６が設けられている。また袋体５３の一部には抜気口５７が取り付けられている。【００４０】  この実施例はスーツケース５と衣類圧縮収納袋５３とがセットであるものを取り上げているが、衣類圧縮収納袋５３を使用しなくて良い場合には衣類圧縮収納袋５３を潰しておくことが出来る。しかしながらより多くの衣類を何とかこのスーツケース５に詰め合わせたいような状況では、衣類圧縮収納袋５３の使用が効果的である。すなわち衣類圧縮収納袋５３の抜気口５７をパイプで例えば実施例６の抜気ポンプ４に接続して、電源スイッチ３５をＯＮにすることにより、衣類圧縮収納袋５３の空気を抜いて容積を圧縮することが出来る。
【実施例８】
【００４１】  この実施例はスーツケース５８と衣類圧縮収納袋５０６とがセットになったものであって、図１１で開いたスーツケース５８の一側の筐体５９のみを表し、この壁５００で開平自在となる他側の筐体の図示を省略する。【００４２】  上記筐体５９には皮革製の蛇腹ケース５０１が仮固定されており、この中に衣類圧縮収納袋５０６が納められて一体化されている。従って衣類圧縮収納袋５０６から抜気することで、衣類圧縮収納袋５０６の容積が減少するのに伴って蛇腹ケース５０１が筐体５９の底の方に折り畳まれて小さくなる。なお蛇腹ケース５０１の頂部には開口部５０２が設けられており、ここから衣類圧縮収納袋５０６の下記ファスナー５０７の部分が露出するようになっている。この衣類圧縮収納袋５０６は、その上面にファスナー５０７が取り付けられて開閉自在であり且つ閉じた時には衣類圧縮収納袋５０６が密閉されるように構成されている。そして蛇腹ケース５０１の頂部の開口部５０２の回りには面ファスナー５０３が設けられており、間仕切り５０４の下面側の相対箇所に設けられた面ファスナー５０５と接着するように構成されている。なお衣類圧縮収納袋５０６を使用しなくて良い場合には、蛇腹ケース５０１ごと衣類圧縮収納袋５０６を潰しておくことが出来る。【００４３】  この使用法であるが、スーツケース５８を開き、蛇腹ケース５０１から間仕切り５０４を外して、衣類圧縮収納袋５０６をファスナー５０７の部分で開口し、この衣類圧縮収納袋５０６の中に衣類を詰める。その後、衣類圧縮収納袋５０６の上に間仕切り５０４を、面ファスナー５０３、５０５で接着しないようにしつつ置いて、間仕切り５０４に体重を掛けて衣類圧縮収納袋５０６の中の空気を抜いて衣類を圧縮し（蛇腹ケース５０１も折り畳まれる）、間仕切り５０４を外してファスナー５０７を掛け、衣類圧縮収納袋５０６を密封する。こうして面ファスナー５０３、５０５の接着力を利用して、蛇腹ケース５０１に間仕切り５０４を取り付けて、間仕切り５０４で衣類を隠すと共に間仕切りの役割をさせるようにする。【００４４】  なおこの実施例はスーツケース５８と衣類圧縮収納袋５０６とがセットになったものであって、皮革製の蛇腹ケース５０１の中に衣類圧縮収納袋５０６が納められて一体化されている点が特徴であるが、皮革製の蛇腹ケースは必ずしも衣類圧縮収納袋５０６の全体を覆うものでなくとも良い。例えば蛇腹ケース５０１の底部を設けず、全高を１／３程度にして、空気を抜いて衣類を圧縮した後の衣類圧縮収納袋５０６の上から蛇腹ケースを被せて上から押して折り畳むようなものとすることが出来る。従ってこのような例の場合では上記間仕切り５０４や開口部５０２や面ファスナー５０３、５０５の構成は不要なものとなる。
【実施例９】
【００４５】  このものは衣類圧縮収納袋５１２を内蔵するスーツケース５０８に関する。このスーツケース５０８は開くと中央部から左右の筐体５０９、５１１に割れるようになっている。右手の筐体５０９は空なので底部５１０が見られるが、左手の筐体５１１には衣類圧縮収納袋５１２が納められている。この衣類圧縮収納袋５１２は、実施例４の図６の衣類圧縮収納袋２と同タイプのものであり、衣類圧縮収納袋５１２の開口部にファスナー５１３が設けられており、このファスナー５１３には空気漏れがないようにしたスライダー５１４が取り付けられており、更にスライダー５１４の開閉操作が行いやすいようにスライダー５１４にリング５１５が設けられている。この衣類圧縮収納袋５１２の下面側にはスーツケース５０８に納まる大きさの薄く表面が滑らかで腰がある板状の間仕切り５１８を備えている。従ってこの衣類圧縮収納袋５１２をスーツケース５０８に納める時には、この間仕切り５１８からはみ出した衣類圧縮収納袋５１２の外側部分は、左右の折り返し５１６と上下の折り返し５１７とになる。【００４６】  衣類圧縮収納袋５１２を使用しなくて良い場合には、衣類圧縮収納袋５１２を折り畳んでスーツケース５０８に納めておくことが出来る。しかしながらより多くの衣類を何とかこのスーツケース５０８に詰め合わせたいような時には、衣類圧縮収納袋５１２の使用が効果的である。また衣類を圧縮した衣類圧縮収納袋５１２は、この天地を返してその間仕切り５１８の側を上にすることで、衣類圧縮収納袋５１２内での衣類の偏り具合によって現われる圧縮衣類の凹凸をカバーしつつ間仕切りとしての役割を担わせることが出来る。
【産業上の利用可能性】
【００４７】  例えば衣装ケースの抽斗と衣類圧縮収納袋とのセットもこの発明の権利範囲内のものである。またこの衣類圧縮収納袋に抽斗に納まる大きさの間仕切りを取り付けても良い。
【符号の説明】
【００４８】１      衣類圧縮収納袋    １０    袋体              １１    ファスナー
１２    袋体              １３    ファスナー        １４    接続部
１５    衣類圧縮収納袋    １６    袋体              １７    ファスナー
１８    スライダー        １９    袋体              １００  ファスナー
１０１  スライダー        １０２  接続部            １０３  衣類圧縮収納袋
１０４  袋体              １０５  ファスナー        １０６  間仕切り
１０７  排気口            １０８  袋体              １０９  ファスナー
１１０  間仕切り          １１１  排気口            １１２  接続部
２      衣類圧縮収納袋    ２０    袋体              ２１    ファスナー
２２    間仕切り          ２３    衣類圧縮収納袋    ２４    袋体
２５    ファスナー        ２６    スライダー        ２７    リング
２８    抜気口            ２９    間仕切り
３      ポンプ            ３０    蛇腹部            ３１    接続口
３２    排気口            ３３    ポンプ            ３４    排気口
３５    電源スイッチ      ３６    接続口            ３７    モータケース
４      抜気ポンプ        ４０    制御部            ４１    電源アダプタ
４２    二次電池          ４３    電動モータ
５      スーツケース      ５０    筐体              ５１    底部
５２    筐体              ５３    衣類圧縮収納袋    ５４    ファスナー
５５    スライダー        ５６    リング            ５７    排気口
５８    スーツケース      ５９    筐体              ５００  壁（縁）
５０１  蛇腹ケース        ５０２  開口部            ５０３  面ファスナー
５０４  間仕切り          ５０５  面ファスナー      ５０６  衣類圧縮収納袋
５０７  ファスナー        ５０８  スーツケース      ５０９  筐体
５１０  底部              ５１１  筐体              ５１２  衣類圧縮収納袋
５１３  ファスナー        ５１４  スライダー        ５１５  リング
５１６  折り返し          ５１７  折り返し          ５１８  間仕切り
【図１】
2017088244.tif 000003
【図２】
2017088244.tif 000004
【図３】
2017088244.tif 000005
【図４】
2017088244.tif 000006
【図５】
2017088244.tif 000007
【図６】
2017088244.tif 000008
【図７】
2017088244.tif 000009
【図８】
2017088244.tif 000010
【図９】
2017088244.tif 000011
【図１０】
2017088244.tif 000012
【図１１】
2017088244.tif 000013
【図１２】
2017088244.tif 000014